(57)【要約】【課題】ユーザ１とユーザ２が管理するアクセス制限されたサーバ内のフォルダに対して相互にフォルダ共有承認を行う場合、それぞれのユーザが承認およびアクセスに必要な情報を取得するための操作をする必要があり煩わしい。【解決手段】第１の端末は、ディスプレイ１４２と、メール通信手段１２２と、伝達情報抽出手段１７１とを備え、第２の端末は、カメラ２５２と、伝達情報抽出手段２７１と、メール通信手段２２２とを備える。第２の端末は、カメラ２５２と伝達情報抽出手段２７１により第１の端末のディスプレイ１４２に表示されたユーザＩＤ１とサーバＵＲＬ１とメールアドレス１を取得し、メール通信手段２２２によりユーザＩＤ２とサーバＵＲＬ２を第１の端末のメールアドレス１へ送信する。第１の端末は、メール通信手段１２２と伝達情報抽出手段１７１により第２の端末のユーザＩＤ２とサーバＵＲＬ２を取得するので情報取得を簡略化できる。【選択図】図２
2011170406.tif 000002
【特許請求の範囲】
【請求項１】
第１の端末の固有情報を記憶する第１の固有情報記憶部と、
通信アドレスを記憶する通信設定記憶部と、
前記固有情報記憶部と前記通信設定記憶部に記憶している情報から第１の伝達情報を生成する伝達情報生成手段と、
前記第１の伝達情報を第２の端末へ提示する提示手段と、
第２の端末から第２の伝達情報を取得する第１の通信手段と、
前記第１の通信手段で取得したものから第２の固有情報を抽出する第１の伝達情報抽出手段と、
前記第２の固有情報を蓄積したうえで処理を行う第１の情報処理部と、
を具備する第１の端末と、
第２の端末の固有情報を記憶する第２の固有情報記憶部と、
前記固有情報記憶部に記憶している情報を第１の端末へ伝達するための第２の通信手段と、
第１の端末から第１の伝達情報を取得する取得手段と、
前記取得手段で取得したものから第１の固有情報を抽出する第２の伝達情報抽出手段と、
前記第１の固有情報を蓄積したうえで処理を行う第２の情報処理部と、
を具備する第２の端末と、
を具備する情報交換システム。
【請求項２】
さらに、
第１のサーバと、
第２のサーバと、
ネットワークと、
アクセスポイントと、
を具備する請求項１記載の情報交換システムであって、
前記第１の端末は、
さらに、第３の通信手段と、第１の相互承認制御部と、
を具備し、
前記第２の端末は、
さらに、第４の通信手段と、第２の相互承認制御部と、
を具備し、
前記第１の端末は、第１の相互承認制御部の承認指示により、前記第１の情報処理部は、前記第３の通信手段と前記アクセスポイントと前記ネットワークを介して前記第１のサーバと接続し、前記第２の固有情報に基づき前記第２の端末の共有設定処理を行い、
前記第２の端末は、第２の相互承認制御部の承認指示により、前記第２の情報処理部は、前記第４の通信手段と前記アクセスポイントと前記ネットワークを介して前記第２のサーバと接続し、前記第１の固有情報に基づき前記第１の端末の共有設定処理を行う、
ことを特徴とする情報交換システム。
【請求項３】
前記第２の端末の前記第２の情報処理部は、前記第１の伝達情報と前記第２の伝達情報を関連づけた共有ＩＤを生成し蓄積する、
ことを特徴とする請求項２記載の情報交換システム。
【請求項４】
前記第２の端末は、さらに、前記第２の端末の前記共有ＩＤを消去することを検出する消去操作受付手段と、
を具備する請求項３記載の情報交換システム。
【請求項５】
第１の固有情報を記憶する第１のステップと、
通信アドレスを記憶する第２のステップと、
前記第１の固有情報と通信アドレスから第１の伝達情報を生成する第３のステップと、
前記第１の伝達情報を第２の端末へ提示する第４のステップと、
前記第２の端末から第２の伝達情報を取得する第５のステップと、
前記第２の伝達情報から第２の固有情報を抽出する第６のステップと、
前記第２の固有情報を蓄積したうえで処理を行う第７のステップと、
第２の固有情報を記憶する第８のステップと、
前記第２の固有情報を第１の端末へ伝達するための第９のステップと、
前記第１の端末から第１の伝達情報を取得する第１０のステップと、
前記第１の伝達情報から第１の固有情報を抽出する第１１のステップと、
前記第１の固有情報を蓄積したうえで処理を行う第１２のステップと、
を具備する情報交換方法。
【請求項６】
さらに、
前記第６のステップで抽出した前記第２の固有情報を使い第１のサーバへの第２の端末の共有設定処理を行う第２１のステップと、
第１のサーバと通信する第２２のステップと、
前記第１１のステップで抽出した前記第１の固有情報を使い第２のサーバへの第１の端末の共有設定処理を行う第２３のステップと、
第２のサーバと通信する第２４のステップと、
を具備する請求項５記載の情報交換方法。
【請求項７】
さらに、
前記第１の伝達情報と前記第２の伝達情報を関連づけた共有ＩＤを生成し蓄積する第３１のステップと、
を具備する請求項６記載の情報交換方法。
【請求項８】
さらに、
前記共有ＩＤを消去することを検出する第４１のステップと、
を具備する請求項７記載の情報交換方法。
【発明の詳細な説明】
【技術分野】
【０００１】
本発明は、複数サーバのファイル共有の相互承認に関し、特に端末側で相互に承認操作を実施するためのファイル共有承認システムに関する。
【背景技術】
【０００２】
個人が所有するネットワークに接続可能なサーバ内に趣味や日記などの情報を蓄積し、携帯電話などの通信機器を用いて外出先などでもサーバに接続し、閲覧することは一般的に行われている。蓄積する情報に対しては、情報の所有者が開示するためのファイル共有承認を設定でき、誰もが閲覧できないように制限する方法をとることもある。アクセスの承認はサーバの管理者がアクセスを承認しようとする端末のユーザＩＤを入手して行うことになる。
【０００３】
共通の趣味などで対面した者同士が、各々のサーバ内に蓄積した写真や映像などの情報を共有しようとした場合、各々が所有する携帯端末を用いて、ファイル共有承認をお互いに行ったうえでアクセスできる（例えば、特許文献１参照）。
【０００４】
また、各々のサーバへのアクセスには、サーバＵＲＬをＱＲコードなどに変換し、携帯電話のカメラ機能で撮影することによりアクセスするという公知技術もある。
【先行技術文献】
【特許文献】
【０００５】
【特許文献１】特開２００９−３２２１２号公報
【発明の概要】
【発明が解決しようとする課題】
【０００６】
しかしながら、お互いの端末のユーザＩＤやサーバＵＲＬの情報は予め知らない場合もあり、そのときは何らかの手段で情報を取得しなければならない。その際、相互で情報を交換し合う操作が煩わしい。
【０００７】
また、サーバＵＲＬをＱＲコード化したものを利用すれば、一方向のアクセスは可能であるが、相互に行う場合はＱＲコードの受渡しを行う手間がかかる。
【０００８】
本発明は、かかる点に鑑みてなされたものであり、ファイル共有のための情報交換を簡単な操作で行うことを目的とする。
【課題を解決するための手段】
【０００９】
本発明の情報交換システムは、第１の端末の固有情報を記憶する第１の固有情報記憶部と、通信アドレスを記憶する通信設定記憶部と、前記固有情報記憶部と前記通信設定記憶部に記憶している情報から第１の伝達情報を生成する伝達情報生成手段と、前記第１の伝達情報を第２の端末へ提示する提示手段と、第２の端末から第２の伝達情報を取得する第１の通信手段と、前記通信手段で取得したものから第２の固有情報を抽出する第１の伝達情報抽出手段と、前記第２の固有情報を蓄積したうえで処理を行う第１の情報処理部とを具備する第１の端末と、第２の端末の固有情報を記憶する第２の固有情報記憶部と、前記固有情報記憶部に記憶している情報を第１の端末へ伝達するための第２の通信手段と、第１の端末から第１の伝達情報を取得する取得手段と、前記取得手段で取得したものから第１の固有情報を抽出する第２の伝達情報抽出手段と、前記第１の固有情報を蓄積したうえで処理を行う第２の情報処理部とを具備する第２の端末と、を具備する構成とした。
【００１０】
上記構成によれば、情報処理に必要な情報を予め作成でき、第１の端末で提示手段に提示される情報を第２の端末で取得することにより、第２の端末の情報を第１の端末へ送信することができることによって、第２の端末側での１回の操作で情報交換が可能となり、第１の端末側での情報取得のためのユーザ操作が不要となる。
【００１１】
また、本発明の情報交換システムは、さらに、第１のサーバと、第２のサーバと、ネットワークと、アクセスポイントとを具備し、前記第１の端末は、さらに、第３の通信手段と、第１の相互承認制御部とを具備し、前記前記第２の端末は、さらに、第４の通信手段と、第２の相互承認制御部とを具備し、前記第１の端末は、第１の相互承認制御部の承認指示により、前記第１の情報処理部は、前記第３の通信手段と前記アクセスポイントとネットワークを介して前記第１のサーバと接続し、前記第２の固有情報に基づき前記第２の端末の共有設定処理を行い、前記第２の端末は、第２の相互承認制御部の承認指示により、前記第２の情報処理部は、前記第４の通信手段と前記アクセスポイントとネットワークを介して前記第２のサーバと接続し、前記第１の固有情報に基づき前記第１の端末の共有設定処理を行う構成とした。
【００１２】
上記構成によれば、ファイル共有に必要な情報を予め作成でき、第１の端末で提示手段に提示される情報を第２の端末で取得することにより、第２の端末の情報を第１の端末へ送信することができることによって、第２の端末側での１回の操作でファイル共有が可能となり、第１の端末側での情報取得のためのユーザ操作が不要となる。
【００１３】
また、本発明の情報交換システムは、前記第２の端末の前記第２の情報処理部は、前記第１の伝達情報と前記第２の伝達情報を関連づけた共有ＩＤを生成し蓄積するようにした。
【００１４】
上記構成によれば、新規の共有設定を判定でき重複した登録をしなくてすみ、不要な情報蓄積を回避できる。
【００１５】
また、本発明の情報交換システムは、前記第２の端末が、さらに、前記第２の端末の前記共有ＩＤを消去することを検出する消去操作受付手段を具備する構成とした。
【００１６】
上記構成によれば、ファイル共有承認を取消しする場合、第２の端末の共有ＩＤを消去することにより、第１の端末へ共有ＩＤ情報を送信することができることによって、第２の端末側での１回の操作でファイル共有の取消しが可能となり、第１の端末側でのファイル共有取消しのための情報取得のユーザ操作が不要となる。
【００１７】
本発明の情報交換方法は、第１の固有情報を記憶する第１のステップと、通信アドレスを記憶する第２のステップと、前記第１の固有情報と通信アドレスから第１の伝達情報を生成する第３のステップと、前記第１の伝達情報を第２の端末へ提示する第４のステップと、前記第２の端末から第２の伝達情報を取得する第５のステップと、前記第２の伝達情報から第２の固有情報を抽出する第６のステップと、前記第２の固有情報を蓄積したうえで処理を行う第７のステップと、第２の固有情報を記憶する第８のステップと、前記第２の固有情報を第１の端末へ伝達するための第９のステップと、前記第１の端末から第１の伝達情報を取得する第１０のステップと、前記第１の伝達情報から第１の固有情報を抽出する第１１のステップと、前記第１の固有情報を蓄積したうえで処理を行う第１２のステップとを具備するようにした。
【００１８】
上記構成によれば、情報処理に必要な情報を予め作成でき、第１の端末で提示手段に提示される情報を第２の端末で取得することにより、第２の端末の情報を第１の端末へ送信することができることによって、第２の端末側での１回の操作で情報交換が可能となり、第１の端末側での情報取得のためのユーザ操作が不要となる。
【００１９】
本発明の情報交換方法は、さらに、前記第６のステップで抽出した前記第２の固有情報を使い第１のサーバへの第２の端末の共有設定処理を行う第２１のステップと、第１のサーバと通信する第２２のステップと、前記第１１のステップで抽出した前記第１の固有情報を使い第２のサーバへの第１の端末の共有設定処理を行う第２３のステップと、第２のサーバと通信する第２４のステップとを具備するようにした。
【００２０】
上記方法によれば、ファイル共有に必要な情報を予め作成でき、第１の端末で提示手段に提示される情報を第２の端末で取得することにより、第２の端末の情報を第１の端末へ送信することができることによって、第２の端末側での１回の操作でファイル共有が可能となり、第１の端末側での情報取得のためのユーザ操作が不要となる。
【００２１】
本発明の情報交換方法は、さらに、前記第１の伝達情報と前記第２の伝達情報を関連づけた共有ＩＤを生成し蓄積する第３１のステップとを具備するようにした。
【００２２】
上記方法によれば、新規の共有設定を判定でき重複した登録をしなくてすみ、不要な情報蓄積を回避できる。
【００２３】
本発明の情報交換方法は、さらに、前記共有ＩＤを消去することを検出する第４１のステップとを具備するようにした。
【００２４】
上記方法によれば、ファイル共有承認を取消しする場合、第２の端末の共有ＩＤを消去することにより、第１の端末へ共有ＩＤ情報を送信することができることによって、第２の端末側での１回の操作でファイル共有の取消しが可能となり、第１の端末側でのファイル共有取消しのための情報取得のユーザ操作が不要となる。
【発明の効果】
【００２５】
本発明によれば、アクセス制限された複数のサーバ内のファイル共有に対する端末間の相互承認のための情報交換を簡略化することができる。
【図面の簡単な説明】
【００２６】
【図１】本発明の実施の形態１に係るシステムの概略構成図
【図２】本発明の実施の形態１に係るシステムの構成図
【図３】本発明の実施の形態１に係る動作手順を説明するシーケンスチャート
【図４】本発明の実施の形態２に係るシステムの構成図
【図５】本発明の実施の形態２に係る共有ＩＤ作成を説明するフローチャート
【図６】本発明の実施の形態２に係る第１の端末１の共有ＩＤテーブルの一例を示す図
【図７】本発明の実施の形態２に係る第２の端末２の共有ＩＤテーブルの一例を示す図
【図８】本発明の実施の形態３に係るシステムの構成図
【図９】本発明の実施の形態３に係る動作手順を説明するシーケンスチャート
【発明を実施するための形態】
【００２７】
以下、本発明の実施の形態について、図面を参照しながら説明する。なお、実施の形態を説明するための各図面において、同一の構成要素には同一符号を付与し、重複する説明は省略する。
【００２８】
（実施の形態１）
図１は、本発明の実施の形態１に係る情報交換システムの概略構成を示す図である。
【００２９】
図１において第１の端末１は、固有情報記憶部１６１から固有情報１を取り出し、通信設定記憶部１６２から通信アドレス１を取り出し、伝達情報１を生成する伝達情報生成手段１６３と、伝達情報１を外部へ提示する提示手段１４１と、外部から伝達情報２を取得する通信手段１２１と、通信手段１２１で取得したものから固有情報２を抽出する伝達情報抽出手段１７１と、固有情報２を蓄積しそれを使い情報処理を行う情報処理部１３１から構成される。
【００３０】
第２の端末２は、固有情報記憶部２６１に記憶している情報を外部へ伝達するための通信手段２２１と、外部から伝達情報１を取得する取得手段２５１と、取得手段２５１で取得したものから固有情報１と通信アドレス１を抽出する伝達情報抽出手段２７１と、前記固有情報１を蓄積しその固有情報１を使い情報処理する情報処理部２３１から構成される。
【００３１】
第２の端末２の取得手段２５１は、第１の端末１の提示手段１４１に提示された伝達情報１を取得する。通信手段２２１は伝達情報抽出手段２７１から抽出した通信アドレス１を使い伝達情報２を第１の端末１へ送信することで端末間の情報交換を実現する。
【００３２】
図２は、本発明の実施の形態１に係る前記情報交換システムを応用した端末によるファイル共有の相互承認システムを示す図である。
【００３３】
図２の第１の端末１において、共有設定処理部１３２は図１における情報処理部１３１の一例であり、サーバへの共有設定を行う機能を有する。さらに、サーバへアクセスするための第２の通信手段の一例として無線ＬＡＮ通信手段１１２を具備する。QRコード生成手段１６４は図１における伝達情報生成手段１６３の一例であり、ユーザＩＤ１とサーバＵＲＬ１およびメールアドレス１をＱＲコード化する。ディスプレイ１４２とメール通信手段１２２はそれぞれ図１における提示手段１４１と通信手段１２１の一例である。さらにファイル共有の相互承認の制御を行う相互承認制御部１８１を具備する。
【００３４】
第２の端末２において、共有設定処理部２３２は図１における情報処理部２３１の一例であり、サーバへの共有設定を行う機能を有する。さらに、サーバへアクセスするための第２の通信手段の一例として無線ＬＡＮ通信手段２１２を具備する。カメラ２５２とメール通信手段２２２はそれぞれ図１における取得手段２５１と通信手段２２１の一例である。さらにファイル共有の相互承認の制御を行う相互承認制御部２８１を具備する。
【００３５】
第１の端末１および第２の端末２は無線ＬＡＮ通信手段１１２および無線ＬＡＮ通信手段２１２によりアクセスポイント８につながり、アクセスポイント８はネットワーク７に接続されている。ネットワーク７には第１の端末１を操作するユーザ１が管理する第１のサーバ３と、第２の端末２を操作するユーザ２が管理する第２のサーバ５と接続されている。
【００３６】
図３は本発明の実施の形態１に係るファイル共有の相互承認システムのシーケンスチャートであり、図２とあわせて動作の手順を説明する。
【００３７】
まず、ステップＳ３１０１においてユーザ１が管理する第１のサーバ３はユーザ１が管理する第１の端末１のアクセス承認済の状態であり、ステップＳ３１０２においてユーザ２が管理する第２のサーバ５はユーザ２が管理する第２の端末２のアクセス承認済の状態である。また、ステップＳ３１０３において予め第１の端末１において、相互承認制御部１８１は、ＱＲコード生成手段１６４へ情報生成指示を出し、伝達情報１としてユーザＩＤ１とサーバＵＲＬ１およびメールアドレス１のＱＲコード化したもの生成させ、ステップＳ３１０４においてディスプレイ１４２に提示させる。
【００３８】
次に、第２の端末２を操作するユーザ２は、ステップＳ３１０５において第１の端末１のディスプレイ１４２に表示されているＱＲコードをカメラ２５２で撮影し、第２の端末２は伝達情報１を入手する。ステップＳ３１０６において伝達情報抽出手段２７１は伝達情報１から固有情報１であるユーザＩＤ１とサーバＵＲＬ１および通信アドレス１であるメールアドレス１を抽出する。相互承認制御部２８１は、抽出通知を受けると共有設定処理部２３２へユーザＩＤ１とサーバＵＲＬ１を伝達させ承認指示を出す。共有設定処理部２３２は、無線ＬＡＮ通信手段２１２を通してユーザＩＤ１で第２のサーバ５への第１の端末１の共有設定を実行する。ステップＳ３１０７において第２のサーバ５は第１の端末１のアクセス承認済の状態となる。さらに、ステップＳ３１０８において相互承認制御部２８１は、メール通信手段２２２へ固有情報記憶部２６１からユーザＩＤ２とサーバＵＲＬ２を伝達させものを送信する指示を出す。メール通信手段２２２は第１の端末１のメールアドレス１に対して伝達情報２であるユーザＩＤ２とサーバＵＲＬ２を送信する。
【００３９】
次に、ステップＳ３１０９において第１の端末１の伝達情報抽出手段１７１はメール通信手段１２２で取得した伝達情報２から固有情報２であるユーザＩＤ２とサーバＵＲＬ２を抽出する。相互承認制御部１８１は、抽出通知を受けると共有設定処理部１３２へユーザＩＤ２とサーバＵＲＬ２を伝達させ承認指示を出す。共有設定処理部１３２は、無線ＬＡＮ通信手段１１２を通してユーザＩＤ２で第１のサーバ３への第２の端末の共有設定を実行する。ステップＳ３１１０において第１のサーバ３は第２の端末２のアクセス承認済の状態となる。
【００４０】
このように、本発明の実施の形態１によれば、第２の端末２が取得した第１の端末１の固有情報１を使い第２の端末２の固有情報２を第１の端末１へ伝達することで、各々が取得した情報でサーバへアクセスしてファイル共有承認を行うことができる。
【００４１】
よって、本発明の実施の形態１によれば、ファイル共有に必要な情報を予め作成でき、第１の端末１で提示手段に提示される情報を第２の端末２で取得することにより、第２の端末２の情報を第１の端末１へ送信することができることによって、第２の端末２側での１回の操作でファイル共有が可能となり、第１の端末１側での情報取得のためのユーザ操作が不要となる。
【００４２】
なお、第１の端末の提示手段をディスプレイとし第２の端末の取得手段をカメラとしたが、赤外線通信やＢｌｕｅｔｏｏｔｈ（登録商標）などを利用してもよく、ＱＲコード生成手段でＱＲコード化せずデータ列であってもよい。
【００４３】
また、無線ＬＡＮ通信手段は一例であり、サーバへのアクセス可能なネットワークへ接続可能な通信手段であれば、セルラー通信、Ｂｌｕｅｔｏｏｔｈによる通信等が可能な通信手段であってもよい。
【００４４】
また、メール通信手段は一例であり、端末間のデータ通信が可能な方法であればよい。
【００４５】
（実施の形態２）
図４は本発明の実施の形態２に係るファイル共有の相互承認システムの端末システムを示す図である。以下では、前記実施の形態１と異なる点を説明する。
【００４６】
第２の端末２は、メール通信手段２２２により伝達情報２としてユーザＩＤ２とサーバＵＲＬ２およびメールアドレス２を送信する。メールアドレス２はメール通信手段２２２の送信元情報として付随するものとする。第１の端末１の伝達情報抽出手段１７１はユーザＩＤ２とサーバＵＲＬ２およびメールアドレス２を共有設定処理部１３２へ伝達する。共有設定処理部１３２は、固有情報記憶部１６１からユーザＩＤ１とサーバＵＲＬ１を取出す。相互承認制御部１８１は共有設定処理部１３２へ共有ＩＤ作成の指示を出す。
【００４７】
図５は本発明の実施の形態２に係る共有設定処理部１３２の共有ＩＤ作成のフローチャートである。相互承認制御部１８１が出した共有ＩＤ作成指示から開始する。ステップＳ５１０１において共有設定処理部１３２は固有情報記憶部１６１からの取り出したユーザＩＤ１とサーバＵＲＬ１と、伝達情報抽出手段１７１から取り出したユーザＩＤ２とサーバＵＲＬ２およびメールアドレス２を組み合わせたデータを検索する。ステップＳ５１０２において登録済であれば登録済であることを通知する。登録済でなければステップＳ５１０４において共有ＩＤを作成し登録したうえでステップＳ５１０３において登録済を通知する。
【００４８】
図６は第１の端末１の共有ＩＤテーブルの一例を示す図である。共有ＩＤテーブル６０１は第１の端末１の情報であるユーザＩＤ１とサーバＵＲＬ１と、第２の端末２の情報であるユーザＩＤ２とサーバＵＲＬ２およびメールアドレス２を関連付けて共有ＩＤ１として格納する。
【００４９】
図７は第２の端末２の共有ＩＤテーブルの一例を示す図である。共有ＩＤテーブル７０１は第１の端末１の情報であるユーザＩＤ１とサーバＵＲＬ１およびメールアドレス１と、第２の端末２の情報であるユーザＩＤ２とサーバＵＲＬ２を関連付けて共有ＩＤ１として格納する。
【００５０】
このように、本発明の実施の形態２によれば、共有設定処理部１３２は、相互でファイル共有を行ったユーザＩＤとサーバＵＲＬとメールアドレスで以前の登録の有無を確認したうえで共有ＩＤを作成することができる。
【００５１】
よって、本発明の実施の形態２によれば、新規の共有設定であることを判定でき重複した登録をしなくてすみ、不要な情報蓄積を回避できる。
【００５２】
なお、共有ＩＤをショートカットのアイコンとし、端末のディスプレイ上に表示し、サーバへのアクセスを容易にすることも可能である。
【００５３】
また、共有ＩＤを登録したのち、自動的に当該サーバＵＲＬへアクセスしフォルダを表示することも可能である。
【００５４】
（実施の形態３）
図８は、本発明の実施の形態３に係る端末によるファイル共有の相互承認の取消しシステムを示す図である。以下では、前記実施の形態２と異なる点を説明する。
【００５５】
図８において、第２の端末２は消去操作受付手段２９１を具備する。図９は端末によるファイル共有の相互承認の取消しのシーケンスチャートであり、図８とともに手順を説明する。
【００５６】
まず、ステップＳ９１０１においてユーザ１が管理する第１のサーバ３はユーザ１が管理する第１の端末１のアクセスとユーザ２が管理する第２の端末２の承認済の状態であり、ステップＳ９１０２においてユーザ２が管理する第２のサーバ５はユーザ２が管理する第２の端末２とユーザ１が管理する第１の端末１のアクセス承認済の状態である。また、ステップＳ９１０３とステップＳ９１０４において実施の形態２で前述した図６または図７に示すように予め共有ＩＤは生成され共有設定処理部１３２および共有設定処理部２３２に蓄積されている。
【００５７】
次に、ステップＳ９１０５においてユーザ２は第２の端末２において、共有ＩＤの消去操作をすると、消去操作受付手段２９１は共有ＩＤを消去することを相互承認制御部２８１へ通知する。相互承認制御部２８１は、共有設定処理部２３２へ消去する共有ＩＤの承認取消指示を出す。共有設定処理部２３２は共有ＩＤで相互承認しているユーザＩＤ１を抽出し、無線ＬＡＮ通信手段２１２を通してユーザＩＤ１で第２のサーバ５への第１の端末１の共有設定取消しを実行し、ステップＳ９１０６において第２のサーバ５は第１の端末のアクセス承認取消し済の状態になる。
【００５８】
次に、ステップＳ９１０７において相互承認制御部２８１は共有ＩＤを消去する通知と送信指示をメール通信手段２２２へ出す。メール通信手段２２２は共有設定処理部２３２から受け取るユーザＩＤ２とサーバＵＲＬ２とメールアドレス１を使い共有ＩＤを消去する通知メールを第１の端末１へ送信する。
【００５９】
次に、ステップＳ９１０８において第１の端末１の伝達情報抽出手段１７１はメール通信手段１２２で取得した伝達情報からユーザＩＤ２とサーバＵＲＬ２を抽出する。相互承認制御部１８１は、共有ＩＤ消去情報抽出通知を受けると共有設定処理部１３２へユーザＩＤ２とサーバＵＲＬ２を伝達させ承認取消し指示を出す。共有設定処理部１３２は、無線ＬＡＮ通信手段１１２を通してユーザＩＤ２で第１のサーバ３への第２の端末の共有設定を実行し、ステップＳ９１０９において第１のサーバ３は第２の端末２のアクセス承認取消し済の状態となる。
【００６０】
このように、本発明の実施の形態３によれば、消去操作受付手段２９１は、共有ＩＤの消去操作を受付け、相互承認制御部２８１は共有ＩＤに関連付けられたユーザＩＤの承認取消しを共有設定処理部２３２へ指示し、共有設定処理部２３２は無線ＬＡＮ通信手段２１２を通して第２のサーバ５へ第１の端末１のアクセス取消しを設定することができる。また、共有ＩＤで関連付けられたメールアドレス１により第１の端末１へ共有取消しのメールを送信することができる。
【００６１】
よって、本発明の実施の形態３によれば、第２の端末２は共有ＩＤの消去操作を実施することにより、ファイル共有取消しを実行し、共有先へ共有取消しの情報を第１の端末１へ送信することができることによって、第１の端末１でのファイル共有取消しが可能となり、第１の端末１側でのファイル共有取消しの情報取得のためのユーザ操作が不要となる。
【００６２】
なお、共有設定処理部へ蓄積した情報は、共有ＩＤの消去とともに削除することも可能である。
【００６３】
また、共有ＩＤのユーザによる消去操作は、共有ＩＤをアイコン化しディスプレイ上に表示したものをゴミ箱へ入れるなどの消去操作としても可能である。
【産業上の利用可能性】
【００６４】
本発明は、アクセス制限されたサーバへのファイル共有承認の手順のための情報交換を携帯端末で簡略化できるため、自宅に限らずサーバへアクセス可能な外出先などで気軽に情報共有をしたい場合に有用である。
【符号の説明】
【００６５】
１    第１の端末
２    第２の端末
３    第１のサーバ
５    第２のサーバ
７    ネットワーク
８    アクセスポイント
１１２、２１２    無線ＬＡＮ通信手段
１２１、２２１    通信手段
１２２、２２２    メール通信手段
１３１、２３１    情報処理部
２３２    共有設定処理部
１４１    提示手段
１４２    ディスプレイ
２５１    取得手段
２５２    カメラ
２６１    固有情報記憶部
１６２    通信設定記憶部
１６３    伝達情報生成手段
１６４    ＱＲコード生成手段
１７１、２７１    伝達情報抽出手段
１８１、２８１    相互承認制御部
２９１    消去操作受付手段
【図１】
2011170406.tif 000003
【図２】
2011170406.tif 000004
【図３】
2011170406.tif 000005
【図４】
2011170406.tif 000006
【図５】
2011170406.tif 000007
【図６】
2011170406.tif 000008
【図７】
2011170406.tif 000009
【図８】
2011170406.tif 000010
【図９】
2011170406.tif 000011